(57)【要約】【課題】部外者が据付箇所に据付けられた自動販売機の据付部品を外すことが困難であり、自動販売機の据付状態が維持され、いたずら、商品の盗難などのおそれがない自動販売機の据付装置を提供する。【解決手段】自動販売機本体１の底板２に設けられるレベルボルト６と、自動販売機本体１の据付箇所７にアンカーボルト８を介して固定される押さえ板１１を備えた据付装置２１であって、アンカーボルト８のナット部２２を外周面に凹部２５が形成された筒状体２３から形成し、前記ナット部２２を回転させるためのアダプター部品２６を内周面に凸部２９が形成された六角柱２７から形成し、前記ナット部２２をアダプター部品２６を介して汎用工具で回転するようになし、据付箇所７に固定された押さえ板１１の上方からカバー３１を被せて、押さえ板１１の係合溝１０の係合されたレベルボルト６の六角部４とアンカーボルト８のナット部２２を上方から覆うようにした。【選択図】　図４
2004062691.tif 000002
【特許請求の範囲】
【請求項１】
自動販売機本体の底部の複数箇所に、底部に螺合するねじ軸部とねじ軸部の下端に固定された角柱部とを少なくとも備えて自動販売機の据付姿勢を調整するレベルボルトが設けられ、自動販売機の据付箇所に、一端側にアンカーボルトを通す挿通孔が形成されるとともに他端側に前記レベルボルトを係合する係合溝が形成された押さえ部材が設けられてなる自動販売機の据付装置であって、
前記角柱部の少なくとも一部を覆う状態で前記押さえ部材に被せられるカバーを設け、
前記押さえ部材及びカバーにアンカーボルトを貫通させ、アンカーボルトに螺合するナット部を回転させてねじ込むことで、前記押さえ部材及びカバーを固定するように構成し、
アンカーボルトのナット部を、汎用工具では回転できない形状であって、所定形状のアダプター部品には係合してアダプター部品と一体的に回転する形状に形成し、
アダプター部品を、汎用工具で回転可能な形状に形成した
ことを特徴とする自動販売機の据付装置。
【請求項２】
前記アンカーボルトのナット部を、外周面に係合部が形成されるとともに、係合部を除く外周面に互いに平行な面を有しない形状に形成し、
前記アダプター部品を、内周面に前記ナット部の係合部と係合し得る被係合部が形成されるとともに、外周面に互いに平行な面を有する形状に形成し、
前記ナット部にアダプター部品を外嵌めして前記係合部と被係合部とを係合させ、前記ナット部をアダプター部品を介して汎用工具で回転させるように構成した
ことを特徴とする請求項１記載の自動販売機の据付装置。
【請求項３】
前記押さえ部材に被せられるカバーを前記角柱部の少なくとも一部を覆うとともに前記アンカーボルトのナット部を外周から覆う状態で設け、
このカバーに前記ナット部及びアダプター部品を挿入する挿入孔を形成し、
前記アンカーボルトにナット部を螺合したときには、このナット部が前記挿入孔の下方に位置するとともに、前記ナット部を回転させるべくアダプター部品をナット部に係合したときには、アダプター部品が前記挿入孔の上方に突出するように構成した
ことを特徴とする請求項１又は２記載の自動販売機の据付装置。
【発明の詳細な説明】
【０００１】
【発明の属する技術分野】
本発明は、自動販売機の据付装置に関するものである。
【０００２】
【従来の技術】
従来、自動販売機を据付箇所に据付けるための据付装置としては、例えば図１２〜図１４に示すように、自動販売機本体１の底板２の四隅に螺合するねじ軸部３とねじ軸部３の下端に固定された六角部４と六角部４の下方に設けられた円盤状の着座部５とからなる自動販売機の据付姿勢を調整するレベルボルト６が設けられ、自動販売機の据付箇所７に、一端側にアンカーボルト８を挿通する挿通孔９が形成されるとともに、他端側に前記レベルボルト６を係合する係合溝１０が形成された押さえ板１１が設けられた据付装置がある。
【０００３】
この据付装置では、予め、据付箇所７にアンカーボルト８を打ち込むための孔１２を穿孔した状態で、自動販売機を設置して六角部４をスパナ、モンキーレンチなどの汎用工具で回転させながらレベルボルト６の出しろを調節して自動販売機の据付姿勢を調整し、その後に、レベルボルト６の六角部４を押さえ板１１の係合溝１０に係合させるとともにレベルボルト６の着座部５を押さえ板１１の下方に位置させて据付箇所７に接地させ、最後に、押さえ板１１の一端側を据付箇所７より外側方に突出させた状態で、アンカーボルト８を押さえ板１１の挿通孔９に通して孔１２に打ち込むとともに、ワッシャー１４を介してアンカーボルト８の六角ナット部１３にて押さえ板１１を据付箇所７に押し付けることより、押さえ板１１が据付箇所７に固定されている。そして、レベルボルト６の着座部５を押さえ板１１と据付箇所７の据付面とにより挟むことで自動販売機が据付箇所７に固定されるようになっている。
【０００４】
【発明が解決しようとする課題】
しかし、このような据付装置では、レベルボルト６の六角部４及びアンカーボルト８の六角ナット部１３が外部に露出しているうえ、六角部４及び六角ナット部１３は前記のような汎用工具で回転させることができるため、部外者でも汎用工具を用いて六角ナット部１３を外すことで押さえ板１１を外したり、レベルボルト６を回転させて自動販売機本体１側にねじ込むことにより、着座部５を据付箇所７の据付面より浮かすことが可能であった。そのため、このような状態で、自動販売機本体１を揺らしていたずらされたり、あるいは、自動販売機本体１を揺らすことにより、自動販売機本体１内に収納されている商品を商品取出し口に落下させて盗まれるおそれがあった。
【０００５】
そこで、本発明は前記問題点を解決するものであって、部外者が据付箇所に据付けられた自動販売機の据付部品を外すことが困難であり、自動販売機の据付状態が維持され、いたずら、商品の盗難などのおそれがない自動販売機の据付装置を提供することを課題とする。
【０００６】
【課題を解決するための手段】
前記問題点を解決するために、本発明の自動販売機の据付装置は、自動販売機本体の底部の複数箇所に、底部に螺合するねじ軸部とねじ軸部の下端に固定された角柱部とを少なくとも備えて自動販売機の据付姿勢を調整するレベルボルトが設けられ、自動販売機の据付箇所に、一端側にアンカーボルトを通す挿通孔が形成されるとともに他端側に前記レベルボルトを係合する係合溝が形成された押さえ部材が設けられてなる自動販売機の据付装置であって、前記角柱部の少なくとも一部を覆う状態で前記押さえ部材に被せられるカバーを設け、前記押さえ部材及びカバーにアンカーボルトを貫通させ、アンカーボルトに螺合するナット部を回転させてねじ込むことで、前記押さえ部材及びカバーを固定するように構成し、アンカーボルトのナット部を、汎用工具では回転できない形状であって、所定形状のアダプター部品には係合してアダプター部品と一体的に回転する形状に形成し、アダプター部品を、汎用工具で回転可能な形状に形成したことを特徴とするものである。
【０００７】
前記構成によれば、アンカーボルトのナット部を汎用工具では回転できない形状に形成したので、部外者は汎用工具を用いてアンカーボルトのナット部を回転させることができず、アンカーボルトからナット部を外すことができないものであり、また、レベルボルトの角柱部の少なくとも一部をカバーで覆うようにしたので、部外者はレベルボルトの角柱部を回転させてねじ軸部を自動販売機本体側から外したりねじ込んだりすることが困難となって、押さえ部材を外し難くなる。
【０００８】
また、アダプター部品を汎用工具で回転可能に形成したので、アダプター部品を例えば自動販売機本体内に収納しておけば、保守点検時、据付箇所の変更時などにおいて、関係者は汎用工具を用いてアダプター部品を介してアンカーボルトのナット部を回転させて外すとともに、カバーを押さえ部材から外すことができ、それによりレベルボルトの角柱部を汎用工具を用いて回転させることが可能である。
【０００９】
したがって、部外者は据付箇所に据付けられた自動販売機の据付部品を外すことが困難となって、自動販売機の据付状態が維持され、いたずら、商品の盗難などのおそれがないものであり、しかも、関係者の作業に不都合を生じることもない。
【００１０】
また、請求項２に記載の発明は、前記構成において、前記アンカーボルトのナット部を、外周面に係合部が形成されるとともに、係合部を除く外周面に互いに平行な面を有しない形状に形成し、前記アダプター部品を、内周面に前記ナット部の係合部と係合し得る被係合部が形成されるとともに、外周面に互いに平行な面を有する形状に形成し、前記ナット部にアダプター部品を外嵌めして前記係合部と被係合部とを係合させ、前記ナット部をアダプター部品を介して汎用工具で回転させるように構成したことを特徴とするものである。
【００１１】
前記構成によれば、アンカーボルトのナット部を汎用工具では回転することができない。一方、アンカーボルトのナット部にアダプター部品を外嵌めすることにより、関係者はアンカーボルトのナット部を確実にかつ容易に着脱させることができる。
【００１２】
さらに、請求項３に記載の発明は、前記構成において、前記押さえ部材に被せられるカバーを前記角柱部の少なくとも一部を覆うとともに前記アンカーボルトのナット部を外周から覆う状態で設け、このカバーに前記ナット部及びアダプター部品を挿入する挿入孔を形成し、前記アンカーボルトにナット部を螺合したときには、このナット部が前記挿入孔の下方に位置するとともに、前記ナット部を回転させるべくアダプター部品をナット部に係合したときには、アダプター部品が前記挿入孔の上方に突出するように構成したことを特徴とするものである。
【００１３】
前記構成によれば、アンカーボルトのナット部を外周からカバーで覆うようにしたので、部外者はアンカーボルトのナット部を回転させることが極めて困難となり、また、アンカーボルトのナット部をカバーに形成された挿入孔の下方に位置させるようにしたので、部外者は特殊な工具を用いたとしても、カバーが邪魔になってナット部を回転させることはできないものであり、しかも、アンカーボルトのナット部がカバーで覆われていることとレベルボルトの角柱部がカバーで覆われていることとが相俟って、視覚的にもいたずら、盗難の誘発を防ぐことができる。さらに、アダプター部品を装着した際には、挿入孔の上方に突出したアダプター部を汎用工具で回転させることで、関係者はナット部を容易に着脱することができる。
【００１４】
【発明の実施の形態】
以下、本発明の一実施の形態における自動販売機の据付装置について添付図面に基づいて説明する。なお、従来技術と同機能を有するものについては同符号を付す。
【００１５】
図１〜図１０において、２１は本発明における自動販売機の据付装置であって、この据付装置２１は、自動販売機本体１の底板２の四隅に設けられるレベルボルト６と、自動販売機本体１の据付箇所７にアンカーボルト８を介して固定させる押さえ板１１と、自動販売機本体１の据付箇所７において押さえ板１１を上方から覆うカバー３１とから形成されている。
【００１６】
前記レベルボルト６は、自動販売機本体１の底板２に螺合されたねじ軸部３と、ねじ軸部３の下端に固定されねじ軸部３よりも大径の六角部（角柱部）４及び六角部４の下方に設けられ六角部４よりも大径の円盤状の着座部５とより構成されている。また、前記押さえ板１１には、一端側にアンカーボルト８を通すための挿通孔９が形成され、他端側には他端側に開口したレベルボルト６を係合するための係合溝１０が形成されている。前記係合溝１０はレベルボルト６のねじ軸部３を通す細溝１０ａと細溝１０ａに連通してレベルボルト６の六角部４に遊嵌する円形孔１０ｂとから形成されている。
【００１７】
前記アンカーボルト８のナット部２２は、上部側が円錐台に形成され下部側が円筒状に形成された筒状体２３から形成されており、その内周面には筒状体２３の長さ方向に沿ってアンカーボルト８の雄ねじ部に螺合するための雌ねじ部２４が形成され、その外周面には筒状体２３の長さ方向に沿って凹部２５が形成されている。そして、前記アンカーボルト８のナット部２２は、このナット部２２に外嵌めされるアダプター部品２６により回転可能になっている。
【００１８】
このアダプター部品２６は、六角柱２７から形成されており、その中心部には六角柱２７の長さ方向に沿って円形孔２８が形成され、その円形孔２８の長さ方向に沿って内側に突出した凸部２９が形成されている。
【００１９】
前記アンカーボルト８のナット部２２を着脱するときは、アダプター部品２６をその凸部２９が前記アンカーボルト８のナット部２２の凹部２５に係合するようにナット部２２に外嵌めし、このアダプター部品２６にスパナ、モンキーレンチなどの汎用工具を外嵌めすることにより、前記アンカーボルト８のナット部２２がこのアダプター部品２６を介して汎用工具により回転される。
【００２０】
さらに、前記押さえ板１１を上方から覆うためのカバー３１は、無底の函体３２から形成され、押さえ板１１の上方に位置させる上板３３の中央部には、前記アンカーボルト８のナット部２２と前記アダプター部品２６を挿入し得る挿入孔３４が形成されている。また、函体３２の一端側には、一端側から他端側に向けて切込み部３５が形成され、この切込み部３５に前記レベルボルト６の六角部４から上方に突出しているねじ軸部３を収めるようになっている。また、前記切込み部３５により分離された端部側板３６、３６の下端部には、函体３２の他端側に向けて折り曲げられた折曲片３７、３７が形成されている。さらに、前記上板３３には、挿入孔３４の切込み部３５寄りの端部近傍で垂直片３８が垂設されるとともに、その下端部が函体３２の他端側に向けて延出した延出片３９が形成され、この延出片３９には、アンカーボルト８を挿入する挿入孔４０が形成されている。
【００２１】
そして、この函体３２の高さは、アンカーボルト８に螺合させたときには、そのナット部２２が前記挿入孔３４の下方に位置する一方で、前記アンカーボルト８のナット部２２に前記アダプター部品２６を外嵌めしたときには、アダプター部品２６の上端部が上板３３に形成された挿入孔３４の上方に突出する高さに形成されており、アダプター部品２６の上端部の突出部分に汎用工具を外嵌めしてアダプター部品２６を回転させるようになっている。
【００２２】
前記カバー３１は、例えば図９〜図１０に示すような押さえ板１１の一端側を上方から覆うためのカバー部材３１Ａと押さえ板１１の他端側を上方から覆うためにカバー部材３１Ｂとを溶接などによって連結することによって函体３２に形成される。
【００２３】
前記据付装置２１を用いて自動販売機を据付箇所７に据付けるに際しては、予め、据付箇所７にアンカーボルト８を打ち込むための孔１２を穿孔した状態で、自動販売機を設置してレベルボルト６の六角部４を前記のような汎用工具で回転させながらレベルボルト６の出しろを調節して自動販売機の据付姿勢を調整する。
【００２４】
次いで、レベルボルト６の六角部４を押さえ板１１の係合溝１０に係合させるとともにレベルボルト６の着座部５を押さえ板１１の下方に位置させて据付箇所７に接地させる。その後に、押さえ板１１の一端側を据付箇所７より外側方に突出させた状態で、アンカーボルト８を押さえ板１１の挿通孔９に通して孔１２に打ち込みむ。次いで、カバー３１の折曲片３７、３７を押さえ板１１の他端側に係止するとともに、カバー３１の延出片３９が押さえ板１１上に位置するように、カバー３１を押さえ板１１に被せ、カバー３１の延出片３９に形成された挿入孔４０にアンカーボルト８を挿入する。
【００２５】
最後に、カバー３１の上板３３に形成された挿入孔３４からアンカーボルト８のナット２２を挿入してアンカーボルト８に仮止めし、アダプター部品２６をアンカーボルト８のナット部２２に外嵌めするとともに、カバー３１の上板３３の上方に突出しているアダプター部品２６の突出部分に汎用工具を外嵌めしてアンカーボルト８のナット部２２を所定方向に回転させ、ワッシャー１４を介してアンカーボルト８のナット部２２にて押さえ板１１を据付箇所７に押し付ける。これにより押さえ板１１が据付箇所７に固定されるとともに、カバー３１が押さえ板１１に固定され、自動販売機の据付作業が完了する。据付作業が完了した後は、アダプター部品２６を外して自動販売機本体１内に収納しておく。
【００２６】
一方、自動販売機の保守点検時に自動販売機の姿勢を調整するときは、自動販売機本体１内に収納されているアダプター部品２６を取り出し、カバー３１の上板３３に形成された挿入孔３４からアダプター部品２６をアンカーボルト８のナット部２２に外嵌めするとともに、アダプター部品２６に汎用工具を外嵌めし、アンカーボルト８のナット部２２を前記所定方向と逆方向に回転させ、アンカーボルト８のナット部２２をアンカーボルト８から外すとともに、カバー３１を押さえ板１１から外し、汎用工具にてレベルボルト６の六角部４を回転させることにより、レベルボルト６の出しろを調整することができる。
【００２７】
さらに、据付箇所７の変更時などにおいて押さえ板１１を取り外すときには、自動販売機本体１内に収納されているアダプター部品２６を取り出し、カバー３１の上板３３に形成された挿入孔３４からアダプター部品２６をアンカーボルト８のナット部２２に外嵌めするとともに、アダプター部品２６に汎用工具を外嵌めし、アンカーボルト８のナット部２２を前記所定方向と逆方向に回転させ、アンカーボルト８のナット部２２をアンカーボルト８から外すとともに、カバー３１を押さえ板１１から外す。前記ナット部２２とカバー３１を外した後は、図１１に示すように、レベルボルト６の六角部４が外部に露出された状態になるため、汎用工具にてレベルボルト６の六角部４を回転させることにより、押さえ板１１を容易に外すことができる。
【００２８】
前記構成の自動販売機の据付装置によれば、汎用工具で回転可能なレベルボルト６の六角部４がカバー３１にて覆われているため、部外者はレベルボルト６の六角部４を回転させることができず、また、アンカーボルト８のナット部２２がカバー３１にて覆われているとともに前記ナット部２２が特殊形状に形成されているため、部外者は汎用工具を用いて前記ナット部２２を回転させることもできない。
【００２９】
また、自動販売機本体１の底板２の四隅に設けられたレベルボルト６と出しろに多少の不揃いがあったとしても、カバー３１の取り付けに支障をきたすことはない。
【００３０】
また、自動販売機の保守点検時に姿勢を調整したり、据付箇所の変更時などにおいて押さえ板１１を取り外すときには、関係者はアダプター部品２６と汎用工具とを用いてアンカーボルト８のナット部２２を容易に外すことができ、カバー３１を押さえ板１１から容易に外すことができる。
【００３１】
さらに、アダプター部品２６は六角柱２７単体から形成したので、小型であって、取り扱いが便利である。
本実施の形態では、レベルボルト６がねじ軸部３と六角部４と着座部５からなる例を示したが、レベルボルト６はねじ軸部３と六角部４とからなるものでもよい。
【００３２】
また、本実施の形態では、アンカーボルト８のナット部２２を構成する筒状体２３の外周面に凹部２５を形成するとともに、アダプター部品２６を構成する六角柱２７の内周面に前記ナット部２２の凹部２５と嵌合する凸部２９を形成したが、これとは逆にナット部２２の外周面に凸部を形成し、アダプター部品２６の内周面にはこの凸部と嵌合する凹部を形成するようにしてもよい。
【００３３】
また、アダプター部品２６は、汎用工具を外嵌めできるものであれば、いずれの形状でもよい。
【００３４】
【発明の効果】
以上述べたように、本発明の自動販売機の据付装置によれば、部外者は据付箇所に据付けられた自動販売機の据付部品を外すことが困難となって、自動販売機の据付状態が維持され、いたずら、商品の盗難などのおそれがないものであり、しかも、関係者の作業に不都合を生じることもない。
【００３５】
また、請求項２に記載の発明によれば、アンカーボルトのナット部を汎用工具では回転することができない。一方、関係者はアンカーボルトのナット部を確実にかつ容易に着脱させることができる。
【００３６】
また、請求項３に記載の発明によれば、部外者はアンカーボルトのナット部を回転させることが極めて困難となり、また、部外者は特殊な工具を用いたとしても、カバーが邪魔になってナット部を回転させることができないものであり、しかも、アンカーボルトのナット部がカバーで覆われていることとレベルボルトの角柱部がカバーで覆われていることとが相俟って、視覚的にもいたずら、盗難の誘発を防ぐことができる。一方、関係者はアンカーボルトのナット部を容易に着脱することができるものである。
【図面の簡単な説明】
【図１】本発明における据付装置による自動販売機の据付状態を示す斜視図である。
【図２】図１の部分拡大斜視図である。
【図３】図２の平面図である。
【図４】図２の断面図である。
【図５】図２の側面図である。
【図６】本発明の据付装置におけるナット部を示し、（ａ）はその斜視図、（ｂ）はその平面図、（ｃ）はその側面図である。
【図７】本発明の据付装置におけるアダプター部品を示し、（ａ）はその斜視図、（ｂ）はその平面図、（ｃ）はその側面図である。
【図８】本発明の据付装置におけるカバーを示し、（ａ）はその平面図、（ｂ）はその正面側面図、（ｃ）はその右側面図である。
【図９】図８のカバーを構成するカバー部材を示し、（ａ）はその平面図、（ｂ）はその正面側面図、（ｃ）はその右側面図である。
【図１０】図９のカバーを構成するカバー部材を示し、（ａ）はその平面図、（ｂ）はその正面側面図、（ｃ）はその右側面図である。
【図１１】図２においてカバーを外した状態を示す斜視図である。
【図１２】従来の据付装置による自動販売機の据付状態を示す斜視図である。
【図１３】図１２の部分拡大斜視図である。
【図１４】図１３の断面図である。
【符号の説明】
１　　自動販売機本体
２　　底板
３　　ねじ軸部
４　　六角部
５　　着座部
６　　レベルボルト
７　　据付箇所
８　　アンカーボルト
９　　挿通孔
１０　係合溝
１１　押さえ板
１２　孔
１３　六角ナット部
１４　ワッシャー
２１　据付装置
２２　アンカーボルトのナット部
２３　筒状体
２４　雌ねじ部
２５　凹部
２６　アダプター部品
２７　六角柱
２８　円形孔
２９　凸部
３１　カバー
３２　函体
３３　上板
３４　挿入孔
３５　切込み部
３６　端部側板
３７　折曲片
３８　垂直片
３９　延出片
４０　挿入孔
【図１】
2004062691.tif 000003
【図２】
2004062691.tif 000004
【図３】
2004062691.tif 000005
【図４】
2004062691.tif 000006
【図５】
2004062691.tif 000007
【図６】
2004062691.tif 000008
【図７】
2004062691.tif 000009
【図８】
2004062691.tif 000010
【図９】
2004062691.tif 000011
【図１０】
2004062691.tif 000012
【図１１】
2004062691.tif 000013
【図１２】
2004062691.tif 000014
【図１３】
2004062691.tif 000015
【図１４】
2004062691.tif 000016